(57)【要約】【課題】操作者が任意の姿勢でキー入力することができる入力装置及びその入力装置を用いた情報入力表示システムを提供する。【解決手段】入力装置４は右手側入力部１０ａ、左手側入力部１０ｂ、両入力部１０ａ，１０ｂに設けられた位置検知手段１２ａ，１２ｂ及び位置情報表示部１４により構成されている。右手側入力部１０ａは操作者２の右手で担当するキーが配列された盤面をもち、操作者２の右手の位置に配置されるものである。左手側入力部１０ｂは操作者２の左手で担当するキーが配列された盤面をもち、操作者の左手の位置に配置されるものである。位置検知手段１２ａ，１２ｂは、両入力部１０ａ，１０ｂの盤面上に配置された操作者２の手指の位置を検知して位置情報表示部１４にその位置情報信号を送信するものである。位置情報表示部１４は位置検知手段１２ａ，１２ｂからの位置情報信号に基づいてその手指の位置情報を操作者２の視野内に表示するものである。【選択図】図１
2008181480.tif 000002
【特許請求の範囲】
【請求項１】
右手で担当するキーが配列された盤面をもち、キー入力信号を発生する右手側入力部と、
前記右手側入力部とは独立して設けられ、左手で担当するキーが配列された盤面をもち、キー入力信号を発生する左手側入力部と、
前記右手側入力部及び左手側入力部の各盤面上における操作者の手指の位置を検知する位置検知手段と、
前記位置検知手段からの信号に基づいて前記右手側入力部及び左手側入力部の各盤面上における操作者の手指の位置情報を、前記右手側入力部及び左手側入力部とは異なる場所で表示する位置情報表示部と、を備えた入力装置。
【請求項２】
前記右手側入力部及び左手側入力部は各盤面の上部に操作者の手指が入る空間を保った状態で覆うカバーを備えている請求項１に記載の入力装置。
【請求項３】
前記カバーの上面はマウスを操作できる平坦面となっている請求項２に記載の入力装置。
【請求項４】
前記位置検知手段は、前記右手側入力部及び左手側入力部の前記カバーにそれぞれ設けられて各盤面上を撮影する撮像手段を備え、
前記位置情報表示部は前記撮像手段により撮影された前記右手側入力部及び左手側入力部の盤面上の画像を表示するものである請求項２又は３に記載の入力装置。
【請求項５】
前記各撮像手段は、盤面の上方に配置されて互いに異なる領域を映す複数のミラーと、前記ミラーによる前記盤面上の像からの光を受光する１つの撮像素子からなる請求項４に記載の入力装置。
【請求項６】
前記位置検知手段は各キーへの操作者の指の接触を検知して接触信号を発する接触検知機構を備え、
前記位置情報表示部は前記接触検知機構からの接触信号に応じて操作者の指が接触しているキーの情報を表示するものである請求項１から３のいずれか一項に記載の入力装置。
【請求項７】
前記接触検知機構はキーの上面に設けられて操作者の指が触れると接触信号を発するタッチセンサである請求項６に記載の入力装置。
【請求項８】
前記接触検知機構は各キーに設けられ、キー入力信号を発生する深さよりも浅い所定の深さまで押し下げられたときに接触信号を発生する接触信号発信機構である請求項６に記載の入力装置。
【請求項９】
モニタと、
請求項１から８のいずれか一項に記載の入力装置と、
前記モニタ及び前記入力装置の位置情報表示部を仰向けになった操作者の正面で支持するモニタ支持部材と、
前記入力装置及びモニタに接続され、前記入力装置からのキー入力信号に基づいた処理を行なって前記モニタに所定の情報を表示させる情報処理装置と、を備えた情報入力表示システム。
【請求項１０】
前記モニタはノート型パーソナルコンピュータの液晶ディスプレイであり、前記情報処理装置はノート型パーソナルコンピュータの本体である請求項９に記載の情報入力表示システム。
【請求項１１】
前記位置情報表示部は前記モニタとは別途設けられたサブモニタである請求項９又は１０に記載の情報入力表示システム。
【請求項１２】
前記位置情報表示部は前記モニタ内の一部領域である請求項９又は１０に記載の情報入力表示システム。
【発明の詳細な説明】
【技術分野】
【０００１】
本発明は、キーボードなどの入力装置及びその入力装置を用いたＰＣ（パーソナルコンピュータ）などの情報入力表示システムに関するものである。
【背景技術】
【０００２】
例えばＰＣを操作する場合、一般的には座った状態の操作者の正面にモニタを配置し、キーボードを卓上又は膝上に配置する。それは、操作者はモニタから大きく目をそらすことなくキーボードの盤面を見てキーの位置を確認することができるからである。
【０００３】
ところで、操作者が任意の姿勢でコンピュータにキー入力できれば、より快適なＰＣの操作が可能になる。例えば仰向けになった状態でもキー入力ができれば、病人や身体障害者など寝床に寝たままの人にとってもコンピュータ操作が可能になるし、健全者であっても仰向けになって楽な姿勢でコンピュータを操作したいという要求を満たすこともできる。ところが、現状のＰＣでは、その構成上、キー入力操作時の姿勢に制限があり、任意の姿勢でキー入力ができるようにはなっていない。
【０００４】
仰向けの状態でＰＣを操作するには、モニタを操作者の上に下向きにして配置する必要もあるし、キーボードを配置する位置も問題になる。
モニタを操作者の上に下向きにして配置し、操作者の腹や股の上にキーボードを盤面を上に向けた状態で置いてキー入力しようとすると、操作者はキーボードの盤面を見ることができなくなってキーの位置確認ができない。ブラインドタッチ（盤面を見ずにキー入力すること）ができる者であればそれでも問題はないが、キーの配列を熟知していない者にとってはキー入力が困難である。また、キーボードを操作者の腹や股の上に置くと、仰向けになったときの楽な自然体の状態でキー入力することはできないため、長時間の操作には不向きである。
【０００５】
キーボードを操作者よりも上に配置して盤面を下に向ければ、操作者がキーボードの盤面を確認しながらキー入力することはできるが、これではキー入力の度に手を挙げなければならないため、楽な姿勢でキー入力することはさらに困難である。
【０００６】
ブラインドタッチのできない人がキーボードの盤面を見なくてもキー入力ができる方法の１つとして、キーの上面にタッチセンサを付け、指が触れたキーの情報をモニタに表示するようにすることが提案されている（特許文献１参照。）。
【特許文献１】平成１０年特許願第９１３０７号公報
【発明の開示】
【発明が解決しようとする課題】
【０００７】
特許文献１の方法では、キーボードの盤面を見なくても指が触れているキーの情報がわかり、モニタだけを見てキー入力することは可能である。しかしこの方法も、座った状態でキー入力を行なうことを前提として提案されているものであって、これを用いて仰向けなど任意の姿勢でＰＣを操作しようとしても、キー入力時の姿勢には制限があり、任意の姿勢で楽にキー入力することができるわけではない。
【０００８】
そこで本発明は、操作者が任意の姿勢でキー入力することができる入力装置及びその入力装置を用いた情報入力表示システムを提供することを目的とするものである。
【課題を解決するための手段】
【０００９】
本発明にかかる入力装置は、右手で担当するキーが配列された盤面をもち、キー入力信号を発生する右手側入力部と、右手側入力部とは独立して設けられ、左手で担当するキーが配列された盤面をもち、キー入力信号を発生する左手側入力部と、右手側入力部及び左手側入力部の各盤面上における操作者の手指の位置を検知する位置検知手段と、位置検知手段からの信号に基づいて右手側入力部及び左手側入力部の各盤面上における操作者の手指の位置情報を、右手側入力部及び左手側入力部とは異なる場所で表示する位置情報表示部と、を備えたものである。
【００１０】
上記の入力装置においては、右手で担当するキーが配列された右手側入力部と左手で担当するキーが配列された左手側入力部が独立しているため、操作者の手の位置に合わせて各入力部を配置することができる。そして、位置情報表示部を介してそれら入力部の盤面上における手指の位置を確認することができるので、各入力部は操作者が盤面を見ることができない位置にも配置することができる。
ＰＣやワードプロセッサでキー入力するために用いられるキーボードを用いる場合、一般的に行なわれているブラインドタッチで右手と左手によって入力するキーは決まっている。本発明における「右手で担当するキー」は上記のブラインドタッチでいうところの右手によって入力するキーを意味し、「左手で担当するキー」とは左手で入力するキーを意味する。なお、本発明の入力装置は、左手で担当するキーも配列されている右手側入力部、及び右手で担当するキーも配列されている左手側入力部も含む。
【００１１】
右手側入力部及び左手側入力部は各盤面の上部に操作者の手指が入る空間を保った状態で覆うカバーを備えているようにしてもよい。そうすれば、右手側入力部及び左手側入力部の上に操作者の手指以外のものが載置されて意に反したキー入力がなされることを防止できる。「操作者の手指以外のもの」とは、例えば操作者が仰向けになってその身体の上に掛けられる掛け布団が挙げられる。各入力部の盤面がカバーで覆われていれば、仰向けになった操作者の上に掛け布団を掛けた状態でも掛け布団が操作者の手指の動きを邪魔せず、正確なキー入力が可能になる。
【００１２】
上記カバーの上面はマウスを操作できる平坦面となっていることが好ましい。例えば、布団の上に仰向けになった操作者の右手側と左手側にそれぞれ右手側入力部と左手側入力部を配置してコンピュータを操作しようとした場合、マウスを操作する場所が確保できない。マウスを操作するための台を別に設けてもよいが、そうするとさらに広いスペースが必要になる上、右手側入力部と左手側入力部とは別の位置に配置するため、操作者にとって最も操作しやすい位置にマウスを配置できるとは限らない。そこで、右手側入力部又は左手側入力部の上でマウスを操作できるようにすれば、マウスを操作するための専用の台を別途設ける必要もなく、右手側入力部又は左手側入力部と同じ位置でマウスを操作できる。マウスの操作では、キーボードのキー入力に比べて操作者の上の掛け布団が邪魔にならない。
【００１３】
位置検知手段の一例は、右手側入力部及び左手側入力部のカバーにそれぞれ設けられて各盤面上を撮影する撮像手段であって、その場合には撮像手段により撮影された右手側入力部及び左手側入力部の盤面上の画像が位置情報表示部に表示されることが好ましい。そうすれば、操作者は位置情報表示手段を介して右手側入力部及び左手側入力部の盤面上における自分の手指の位置やキーの位置を確認することができるので、任意の位置に右手側入力部及び左手側入力部を配置することができる。また、位置撮像手段はカバーに設けられていれば、位置検知手段がコンパクトなものとなる。
【００１４】
そのような撮像手段の一例は、盤面の上方に配置されて互いに異なる領域を映す複数のミラーと、それらのミラーによる盤面上の像からの光を受光する１つの撮像素子からなるものである。この構成において、複数のミラーからの画像の光を撮像素子で結像させるための光学素子をミラーと撮像素子との間に備えていてもよい。
【００１５】
また、位置検知手段の他の例として、各キーへの操作者の指の接触を検知して接触信号を発する接触検知機構を備えたものを挙げることができ、その場合には位置情報表示部に接触検知機構からの接触信号に応じて操作者の指が接触しているキーの情報を表示するようにすることが好ましい。ここでの「キーの情報」とは、該キーの位置関係や該キーによって入力される情報（例えば文字や数字、記号）である。好ましい実施例として、位置情報表示部に右手側入力部と左手側入力部を合わせた全体的なキーの配列が実際のキー配列に対応して予め仮想的に表示され（以下、位置情報表示部に仮想的に表示されたキー配列を仮想キーボードと呼ぶ。）ており、接触検知機構が検知したキーに対応する仮想キーボード上のキーが変色又は発光などして操作者に手指が接触しているキーの情報が示されるようになっているものが挙げられる。
【００１６】
接触検知機構の一例は、各キーの上面に設けられて操作者の指が触れると接触信号を発するタッチセンサである。
【００１７】
接触検知機構の他の例として、各キーに設けられ、キー入力信号を発生する深さよりも浅い所定の深さまで押し下げられたときに接触信号を発する接触信号発信機構を挙げることができる。接触信号発信機構は、キーを押し下げることにより機械的に導通させるもののほか、入力キーの押下げを光により検知するホトインタラプラ、磁気的に検知する磁気センサなども用いることができる。
【００１８】
本発明の情報入力表示システムは、モニタと、そのモニタを仰向けになった操作者の正面で支持するモニタ支持部材と、本発明の入力装置と、その入力装置及びモニタに接続され、入力装置のキー入力信号発信回路からのキー入力信号に基づいて処理を行なって上記モニタに所定の情報を表示させる情報処理装置と、を備えたものである。すなわち、本発明の情報入力表示システムは、個別に設けられた右手側キー入力部と左手側キー入力部を備えた本発明の入力装置を用い、仰向けで自然体の姿勢になっている操作者の右手の位置に右手側キー入力部を、左手の位置に左手側キー入力部を配置して、自然体の姿勢のままで該情報入力表示システムを操作することができるようにしたものである。右手側キー入力部及び左手側キー入力部の盤面上における手指の位置情報を表示する位置情報表示部をモニタの近傍など操作者の視野に入る位置に配置できるため、操作者がモニタから視線をそらすことなく自分の手指の位置やキーの位置を確認することができ、ブラインドタッチのできない操作者であっても容易に扱うことができる。
【００１９】
上記の情報入力表示システムのモニタとしてノート型パーソナルコンピュータ（以下、ノートＰＣという）の液晶ディスプレイを用い、情報処理装置としてノートＰＣの本体を用いることができる。ノートＰＣの液晶ディスプレイは軽く、ハードディスク（ＨＤ）や中央処理装置（ＣＰＵ）、メモリが集約されている本体の方が重くなっているため、本体側を片持ちに支持するようにすれば、モニタを支持する支持部材の構成が簡単になる。そして、ノートＰＣの本体を情報処理装置として利用することによってシステム全体の構成も簡単になる。このように、通常用いているノートＰＣを利用できれば、新たに専用のモニタやコンピュータを購入する必要がないという利点もある。
【００２０】
この情報入力表示システムでは、入力装置に設けられている位置情報表示部は、モニタとは別途設けられたサブモニタであってもよいし、情報入力表示システムのモニタ内の一部の領域を利用したものであってもよい。
【発明の効果】
【００２１】
本発明の入力装置及び情報入力表示システムによれば、右手で担当するキーが配列された右手側入力部と左手で担当するキーが配列された左手側入力部とが別個独立し、かつ右手側入力部及び左手側入力部の盤面上の手指の位置情報を両入力部とは異なる位置で表示する位置情報表示部が設けられているので、操作者の視野を気にすることなく操作者の手の位置に合わせて各入力部を配置することができる。両入力部の配置した位置に関わらず、位置情報表示部を介してそれら入力部の盤面上における手指の位置を確認することができるので、各入力部は操作者が盤面を見ることができない位置にも配置することができる。これにより、任意の姿勢でのキー入力が可能になる。
例えば、仰向けになった状態の操作者の右手の位置に右手側入力部を配置し、左手の位置に左手側入力部を配置するができる。そうすれば、モニタを仰向けになった操作者の正面に配置し、さらに位置情報表示部を操作者の視野に入る位置に配置しておくことで、操作者は仰向けになって自然体の姿勢のままでキー入力を容易に行なうことができる。
【発明を実施するための最良の形態】
【００２２】
図１は本発明にかかる情報入力表示システムの一例を概略的に示すブロック図である。
操作者２がキー入力するための入力装置４が情報処理装置６に接続されている。情報処理装置６には所定の情報を表示するモニタ８が接続されている。モニタ８は操作者２の正面に配置される。
【００２３】
入力装置４は右手側入力部１０ａ、左手側入力部１０ｂ、両入力部１０ａ，１０ｂに設けられた位置検知手段１２ａ，１２ｂ及び位置情報表示部１４により構成されている。
【００２４】
右手側入力部１０ａは操作者２の右手で担当するキーが配列された盤面をもち、操作者２の右手の位置に配置されるものである。左手側入力部１０ｂは操作者２の左手で担当するキーが配列された盤面をもち、操作者の左手の位置に配置されるものである。右手側入力部１０ａ及び左手側入力部１０ｂはいずれかのキーが所定の深さまで押し下げられたときにそのキーに対応するキー入力信号を情報処理装置６に送信するよう構成されている。情報処理装置６は各入力部１０ａ，１０ｂのキー入力信号に基づいた処理を行なうとともに、モニタ８にその処理に関連した情報を表示するようになっている。
【００２５】
右手側入力部１０ａ及び左手側入力部１０ｂに設けられた位置検知手段１２ａ，１２ｂは、両入力部１０ａ，１０ｂの盤面上に配置された操作者２の手指の位置を検知して位置情報表示部１４にその位置情報信号を送信するものである。位置情報表示部１４は位置検知手段１２ａ，１２ｂからの位置情報信号に基づいてその手指の位置情報を操作者２の視野内に表示するものである。位置情報表示部１４がモニタ８の近傍やモニタ８の一部の領域など操作者２の視野内に配置されることにより、操作者２は各入力部１０ａ，１０ｂの盤面を見ずに、しかもモニタ８からほとんど視線をそらすことなく、位置情報表示部１４を介して右手側入力部１０ａ及び左手側入力部１０ｂの盤面上における自分の手指の位置や入力したいキーの位置を確認することができる。
【００２６】
次に、本発明の情報入力表示システムのより具体的な実施例を説明する。図２は一実施例の情報入力表示システムを操作者とともに示す図であり、（Ａ）は操作者の右手側から見た側面図、（Ｂ）は操作者の下から見た図である。
この実施例は、操作者２が仰向けになった状態でキー入力するとともに、モニタ及び情報処理装置としてノートＰＣ１６を用いる例を示している。ノートＰＣ１６の液晶ディスプレイ１６ａが図１におけるモニタ８を実現し、ＣＰＵやＨＤを備えた本体部分１６ｂが情報処理装置６を実現している。
【００２７】
ノートＰＣ１６を支持する支持部材は仰向けの状態の操作者２の頭上に配置されている。ノートＰＣ１６は支持部材の基台から垂直上方向に伸びた支柱１８の上端に回転固定具２０によって回動可能に支持された保持部２２に固定具２４ａ，２４ｂによってその本体部分１６ｂが固定されており、ノートＰＣ１６を開いたときに操作者２の正面に液晶ディスプレイ１６ａの画面がくるように、支柱１８の位置や回転固定具２０による保持部２２の角度が調整されている。なお、ノートＰＣ１６の開き角度によっても操作者２が液晶ディスプレイ１６ａの画面を見やすいように調節できる。また、保持部２２は支柱１８に回動可能に支持されていることにより、ノートＰＣ１６を使用しないときには保持部２２を支柱１８側に折りたたんでノートＰＣ１６を収納しておくこともできる。
【００２８】
このように配置されたノートＰＣ１６の液晶ディスプレイ１６ａの画面表示は、図２（Ｂ）に示されているように、通常の画面表示と反転させたものとなるので、ノートＰＣ１６には画面表示を反転させるソフトウェアを組み込む。
【００２９】
操作者２が自然体の状態での右手の位置に、右手で担当するキーが配列された右手側入力部１０ａがその盤面を上向きにして配置されている。また、図示されていないが、右手側と同様に、操作者２の左手の位置に左手で担当するキーが配列された左手側入力部１０ｂがその盤面を上向きにして配置されている。右手側入力部１０ａ及び左手側入力部１０ｂは例えばノートＰＣ１６のＵＳＢ（Universal Serial Bus）端子にケーブル２６ａ，２６ｂを介して接続されている。
【００３０】
右手側入力部１０ａと左手側入力部１０ｂは、図３に示されるように、通常のキーボードと同じキー配列の盤面を右手で入力するキー側（右手側入力部１０ａ）と左手で入力するキー側（左手側入力部１０ｂ）とに分割したものである。
なお、右手側入力部１０ａ、左手側入力部１０ｂ又は両入力部１０ａ，１０ｂの盤面に、通常のキーボードの盤面に配列されている全てのキーが配列されていてもよい。そうすれば、右手のみ又は左手のみでもキー入力操作を行なうことができる。
【００３１】
各入力部１０ａ，１０ｂの盤面１１ａ，１１ｂ上には、それぞれ操作者２の手指を入れて操作する空間を保った状態で覆うカバー１３ａ，１３ｂが設けられている。カバー１３ａ，１３ｂが設けられていることによって、例えば掛け布団などが各入力部１０ａ，１０ｂの上に載せられた状態でも、操作者２の手指の動作を妨害されることなく正確なキー入力が可能になる。
【００３２】
カバー１３ａ，１３ｂの上面は平坦面となっている。したがって、図示は省略されているが、カバー１３ａ又は１３ｂの上にマウスを置いて操作することができる。布団の上で仰向けになってマウスを用いてＰＣを操作する場合、マウスを操作する場所が必要になる。キー入力は右手側入力部１０ａと左手側入力部１０ｂによって実現できるが、マウスを用いる場合には別途そのための場所が必要である。そのような場合に、カバー１３ａ，１３ｂの上面を利用することで、キー入力と同じ位置においてマウスを操作することができる。
【００３３】
また、図２においては、右手側入力部１０ａ及び左手側入力部１０ｂを盤面を上向きにして操作者２の身体の左右両側に配置しているが、カバー１３ａ，１３ｂが設けられていることによって、例えば図７に示されているように、カバー１３ａ，１３ｂを入力部１０ａ，１０ｂの支持台として用いて操作者２の頭部の左右両側に盤面を下向きにして配置することもできる。
【００３４】
右手側入力部１０ａ及び左手側入力部１０ｂには、各盤面１１ａ，１１ｂ上における操作者２の手指の位置を検知する位置検知手段が設けられており、位置検知手段で得られた手指の位置情報が液晶ディスプレイ１６ａの端部に取付け部材２８によって取り付けられたサブモニタ１４ａに表示されるようになっている。サブモニタ１４ａは図１における位置情報表示部１４を実現するものである。右手側入力部１０ａ及び左手側入力部１０ｂの位置検知手段とサブモニタ１４ａはケーブルを介して信号の送受信を行なうようになっていてもよいし、無線で信号の送受信を行なうようになっていてもよい。
【００３５】
右手側入力部１０ａ及び左手側入力部１０ｂに設けられている位置検知手段の構成として、次のものが挙げられる。
その一例は、操作者の手指の上方から各入力部１０ａ，１０ｂの盤面１１ａ，１１ｂを撮影するものである。具体的には、図４に示すように、入力部１０ａのカバー１３ａの内部にＣＣＤ（Charge Coupled Device）カメラなどの小型カメラ２８とキー配列方向に複数配置されたミラー３０を備えることによって実現できる。複数のミラー３０は盤面１１ａの全領域を網羅できるように配置されている。各ミラー３０が所定の領域を小型カメラ２８側に向けて映すことにより、小型カメラ２８で盤面１１の全領域の画像を撮影することができる。なお、右手側入力部１０ａと左手側入力部１０ｂの位置検知手段の構成は同じであり、図４では右手側入力部１０ａのみを図示している。
【００３６】
位置検知手段が、図４のような撮像手段を用いた構成となっている場合は、サブモニタ１４ａに表示される手指の位置情報としてその撮影されている画像が表示されていることが好ましい。そうすれば、操作者２は液晶ディスプレイ１６ａの近傍に取り付けられたサブモニタ１４ａを介して、キーボードの盤面を目視するのと同様に、各入力部１０ａ，１０ｂの盤面１１ａ，１１ｂ上の自分の手指の位置や入力したいキーの位置を確認することができる。したがって、液晶ディスプレイ１６ａの画面からほとんど視線をそらす必要がないので、楽な姿勢のままでのキー入力が可能である。
【００３７】
位置検知手段の他の例は、手指の触れたキーを検知するものである。
その具体例の１つは、図５に示されているように、キー３２の上面にタッチセンサ３４を取り付けたものである。キーの上面にタッチセンサを設けることは特許文献１にも開示されているように周知の技術である。タッチセンサ３４は手指２ａの接触を検知してそのキー３２に対応する接触信号をサブモニタ１４ａに発信するように構成する。この場合、サブモニタ１４ａには両入力部１０ａ及び１０ｂの盤面１１ａ，１１ｂを合わせたキー配列パターンが予め表示されており、検知したタッチセンサ３４に対応するキー配列パターン上のキーが変色や発光等して操作者２に示されるようになっていることが好ましい。そうすれば、操作者２はサブモニタ１４ａのキー配列パターン中のどのキーに自分の指が触れているかを容易に認識することができ、入力したいキーがどこにあるのかをも容易に探し出すことができる。この方法でも、液晶ディスプレイ１６ａの画面からほとんど視線をそらす必要がないので、楽な姿勢のままでのキー入力が可能である。
【００３８】
また、手指の触れたキーを検知する方法であって上記のタッチセンサ３４に代わるものとして、軽くキーを押すことによって手指の接触を検知し、さらに深く押すことによってキー入力が行なわれる構造が挙げられる。図６はその構造の一例を示した断面図であり、（Ａ）は通常時、（Ｂ）は一次押し時、（Ｃ）は二次押し時を示している。
【００３９】
キーボードの躯体３３の開口部にはめ込まれた各キー３２の底部がシリコーンバネ３６によって支持されている。シリコーンバネ３６は多層配線層３８の上に置かれており、その内部には下向きに突出した凸部である一次押し部３６ａと二次押し部２６ｂが形成されている。二次押し部３６ｂはシリコーンバネ３６中央の最も高い位置に形成されており、一次押し部３６ａは二次押し部３６ｂよりも低い位置に形成されている。
【００４０】
多層配線層３８は上部通電プレート４０及び下部通電プレート４２とそれら通電プレート４０，４２間の絶縁層４４で構成されている。多層配線層３８の一次押し部３６ａに対応する位置には上下通電プレート４０，４２間が空洞となっている一次導通部３８ａ、二次導通部３８ｂが設けられている。一次導通部３８ａ、二次導通部３８ｂは一次押し部３６ａ又は二次押し部３６ｂが降下して上部通電プレート４０を下方に押し込むことによって両通電プレート４０，４２が接触して導通するようになっている。
上部通電プレート４０及び下部通電プレート４２には、一次導通部３８ａで両通電プレート４０，４２が接触したときに導通してそのキーに応じた接触信号を発信する接触信号発信回路と、二次導通部３８ａで両通電プレート４０，４２が接触したときに導通してそのキーに応じたキー入力信号を発信するキー入力信号発振回路が形成されている。接触信号はサブモニタ１４ａに送信され、キー入力信号はノートＰＣ本体１６ａに送信される。
【００４１】
この構成によれば、図６（Ｂ）に示されているように、キー３２を軽く押すことにより、シリコーンバネ３６の一次押し部３６ａが先に上部通電プレート４０に接触して上部通電プレート４０を下方に押し下げ、一次導通部３８ａにおいて上下通電プレート４０，４２を接触させることにより接触信号発信回路が導通し、接触信号が発信される。この状態では、二次押し部３６ｂは上部通電プレート４０に接触していないため、キー入力信号発信回路は導通していない。（Ｃ）に示されているように、キー３２をさらに押し込むことにより、二次押し部３６ｂが上部通電プレート４０に接触して二次導通部３８ｂにおいて上下通電プレート４０，４２を接触させることによりキー入力信号発信回路が導通し、キー入力信号が発信される。
【００４２】
この例においても図５の例と同様に、サブモニタ１４ａには両入力部１０ａ及び１０ｂの盤面１１ａ，１１ｂを合わせたキー配列パターンが予め表示されており、接触信号発信回路からの接触信号に応じてキー配列パターン上のキーが変色や発光等して操作者２に示されるようになっていることが好ましい。
【００４３】
なお、図２〜図６を用いて説明した実施例では、図１における情報処理装置６及びモニタ８をノートＰＣ１６によって実現しているが、本発明はこれに限定されるものではなく、通常のＰＣのディスプレイと本体によっても実現することができる。
【００４４】
また、図２〜図６を用いて説明した実施例では位置情報表示部１４としてサブモニタ１４ａを説明したが、本発明はこれに限定されるものではなく、ソフトウェアによって液晶ディスプレイ１６ａの画面の一部領域を利用して両入力部１０ａ，１０ｂの盤面１１ａ，１１ｂ上における手指の位置情報を表示するものであってもよい。その場合、両入力部１０ａ，１０ｂに設けられた位置情報検知手段からの信号はケーブル２６ａ，２６を介してノートＰＣ本体１６ｂに送信され、ノートＰＣ本体１６ｂ内でその信号処理が行なわれて液晶ディスプレイ１６ａの画面にその位置情報が表示される。図１でいえば、位置情報表示部１４はモニタ８内にあり、位置検知手段１２ａ，１２ｂは両入力部１０ａ，１０ｂとともに情報処理装置６に接続される。
【００４５】
また、図２の実施例では操作者２が仰向けになった状態でキー入力を行なうことが可能な情報入力表示システムの実施例を示したが、本発明の入力装置４（図１）は操作者２が任意の姿勢でキー入力することができるものであり、仰向けの姿勢での使用に限定されるものではない。
【図面の簡単な説明】
【００４６】
【図１】情報入力表示システムの構成の一例を概略的に示すブロック図である。
【図２】情報入力表示システムの一実施例を操作者とともに示す図であり、（Ａ）は操作者の右手側から見た側面図、（Ｂ）は操作者の下から見た図である。
【図３】右手側入力部及び左手側入力部の一例を示す図である。
【図４】位置検知手段の一例を示す図である。
【図５】位置検知手段の他の例を示す図である。
【図６】位置検知手段のさらに他の例を示す図であり、（Ａ）は通常時、（Ｂ）は一次押し時、（Ｃ）は二次押し時である。
【図７】右手側入力部及び左手側入力部の他の配置例を示す図である。
【符号の説明】
【００４７】
２  操作者
２ａ  操作者の手指
４  入力装置
６  情報処理装置
８  モニタ
１０ａ  右手側入力部
１０ｂ  左手側入力部
１１ａ  右手側入力部の盤面
１１ｂ  左手側入力部の盤面
１２ａ，１２ｂ  位置検知手段
１３ａ，１３ｂ  カバー
１４  位置情報表示部
１４ａ  サブモニタ
１６  ノートＰＣ
１８  支柱
２０  回転固定具
２２  保持部
２４ａ，２４ｂ，２８  固定部材
２６ａ，２６ｂ  ケーブル
２８  小型カメラ
３０  ミラー
３２  キー
３３  キーボード躯体
３４  タッチセンサ
３６  シリコーンバネ
３６ａ  一次押し部
３６ｂ  二次押し部
３８  配線層
３８ａ  一次導通部
３８ｂ  二次導通部
４０  上部通電プレート
４２  下部通電プレート
４４  絶縁層
【図１】
2008181480.tif 000003
【図２】
2008181480.tif 000004
【図３】
2008181480.tif 000005
【図４】
2008181480.tif 000006
【図５】
2008181480.tif 000007
【図６】
2008181480.tif 000008
【図７】
2008181480.tif 000009
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
右手で担当するキーが配列された盤面をもち、キー入力信号を発生する右手側入力部と、
前記右手側入力部とは独立して設けられ、左手で担当するキーが配列された盤面をもち、キー入力信号を発生する左手側入力部と、
前記右手側入力部及び左手側入力部の各盤面上における操作者の手指の位置を検知する位置検知手段と、
前記位置検知手段からの信号に基づいて前記右手側入力部及び左手側入力部の各盤面上における操作者の手指の位置情報を、前記右手側入力部及び左手側入力部とは異なる場所で表示する位置情報表示部と、
前記右手側入力部及び左手側入力部の各盤面上に設けられ、操作者の手を入れて操作する１つの空間を保ちながら前記各盤面全体を操作者の手指全体とともに覆い、かつ前記右手側入力部及び左手側入力部をその盤面を下向きにした状態で支持することができるカバーと、を備えた入力装置。
【請求項２】
前記カバーの上面はマウスを操作できる平坦面となっている請求項１に記載の入力装置。
【請求項３】
前記位置検知手段は、前記右手側入力部及び左手側入力部の前記カバーにそれぞれ設けられて各盤面上を撮影する撮像手段を備え、
前記位置情報表示部は前記撮像手段により撮影された前記右手側入力部及び左手側入力部の盤面上の画像を表示するものである請求項１又は２に記載の入力装置。
【請求項４】
前記各撮像手段は、盤面の上方に配置されて互いに異なる領域を映す複数のミラーと、前記ミラーによる前記盤面上の像からの光を受光する１つの撮像素子からなる請求項３に記載の入力装置。
【請求項５】
前記位置検知手段は各キーへの操作者の指の接触を検知して接触信号を発する接触検知機構を備え、
前記位置情報表示部は前記接触検知機構からの接触信号に応じて操作者の指が接触しているキーの情報を表示するものである請求項１又は２に記載の入力装置。
【請求項６】
前記接触検知機構はキーの上面に設けられて操作者の指が触れると接触信号を発するタッチセンサである請求項５に記載の入力装置。
【請求項７】
前記接触検知機構は各キーに設けられ、キー入力信号を発生する深さよりも浅い所定の深さまで押し下げられたときに接触信号を発生する接触信号発信機構である請求項５に記載の入力装置。
【請求項８】
モニタと、
請求項１から７のいずれか一項に記載の入力装置と、
前記モニタ及び前記入力装置の位置情報表示部を仰向けになった操作者の正面で支持するモニタ支持部材と、
前記入力装置及びモニタに接続され、前記入力装置からのキー入力信号に基づいた処理を行なって前記モニタに所定の情報を表示させる情報処理装置と、を備えた情報入力表示システム。
【請求項９】
前記モニタはノート型パーソナルコンピュータの液晶ディスプレイであり、前記情報処理装置はノート型パーソナルコンピュータの本体である請求項８に記載の情報入力表示システム。
【請求項１０】
前記位置情報表示部は前記モニタとは別途設けられたサブモニタである請求項８又は９に記載の情報入力表示システム。
【請求項１１】
前記位置情報表示部は前記モニタ内の一部領域である請求項８又は９に記載の情報入力表示システム。